(57)【要約】【課題】交換作業を容易にする。【解決手段】少なくとも１本の響線３１から成る線束３２と、紐部材４５を引っ掛けるための引っ掛け部４２Ａ、４２Ｂを含み、線束３２の端部に固定されたプレート４０と、を有する、楽器用の効果付与具を提供する。【選択図】図３
2020181020.tif 000002
【特許請求の範囲】
【請求項１】
少なくとも１本の響線から成る線束と、
紐部材を引っ掛けるための引っ掛け部を含み、前記線束の端部に固定されたプレートと、を有する、楽器用の効果付与具。
【請求項２】
前記引っ掛け部に前記紐部材を引っ掛けた状態では、前記プレートから、前記線束の長手方向における前記線束とは反対側へ延びる前記紐部材の２つの位置が、前記線束の幅方向における中心線に対して略線対称の位置となる、請求項１に記載の楽器用の効果付与具。
【請求項３】
前記引っ掛け部は、前記線束の幅方向における互いに反対方向に開口する一対の切り欠き部を含む、請求項２に記載の楽器用の効果付与具。
【請求項４】
前記一対の切り欠き部は各々、前記紐部材の抜け止め部を有する、請求項３に記載の楽器用の効果付与具。
【請求項５】
前記引っ掛け部は、前記２つの位置において前記紐部材が前記線束の幅方向に変位することを規制する規制部を有する、請求項２乃至４のいずれか１項に記載の楽器用の効果付与具。
【請求項６】
前記引っ掛け部は、前記線束の幅方向における中心線に対して略線対称である、請求項１に記載の楽器用の効果付与具。
【請求項７】
前記引っ掛け部は、前記線束の幅方向に開口する一対の切り欠き部を含む、請求項６に記載の楽器用の効果付与具。
【請求項８】
前記引っ掛け部は、前記一対の切り欠き部の開口側の端位置の近傍に、前記響線の長手方向における前記切り欠き部の幅が最小となる部分を有する、請求項７に記載の楽器用の効果付与具。
【請求項９】
前記引っ掛け部は、前記２つの各位置の近傍における前記紐部材の部分を収容する２つの凹部を有する、請求項２乃至４のいずれか１項に記載の楽器用の効果付与具。
【請求項１０】
前記引っ掛け部は、前記プレートの本体から前記本体の厚み方向に延びた後に前記線束の側へ曲がっている少なくとも１つの爪部分を有する、請求項１に記載の楽器用の効果付与具。
【請求項１１】
一対の前記プレートが、前記線束の両端部に固定されている、請求項１乃至１０のいずれか１項に記載の楽器用の効果付与具。
【発明の詳細な説明】
【技術分野】
【０００１】
本発明は、スネアドラム等の楽器に用いられる楽器用の効果付与具に関する。
【背景技術】
【０００２】
従来、楽器に用いられる効果付与具が知られている。例えば、スネアドラムには、響線を含む効果付与具（スナッピ）をドラムヘッドに対して選択的に接触離間させることにより、ドラムヘッドの振動が効果付与具に伝わり、特殊音響効果が得られる。効果付与具は、一般的に、線材からなる複数本の響線を並列に配置して成る線束と、この線束の両端部を保持する一対のプレートとで構成される。一対のプレートはそれぞれ、ドラムのシェルに設けられた一対のストレーナに接続部材で接続される。この接続部材として、ベルト状のものを使用したものが知られている（特許文献１）。しかし、特許文献２に示されるように、接続部材として紐部材が採用されるのが主流である。
【先行技術文献】
【特許文献】
【０００３】
【特許文献１】米国特許第７７２８２１１号明細書
【特許文献２】米国特許出願公開第２０１８／２０４５５０号明細書
【発明の概要】
【発明が解決しようとする課題】
【０００４】
従来、ドラム本体に対する効果付与具の着脱や交換作業が容易であることが求められている。特許文献２では、ユーザは、効果付与具に紐部材をつけたまま効果付与具をストレーナから外すことが可能である。しかし、効果付与具の交換の度に張力調節が必要で面倒である。例えば、他の効果付与具に交換するときには張力調節が改めて必要となる。なお、同じ張力を再現するために、交換前後の効果付与具同士で紐部材を予め同じ状態にしておくことが考えられるが、そのような作業は繁雑で、現実的でない。
【０００５】
本発明の一つの目的は、交換作業を容易にすることができる楽器用の効果付与具を提供することである。
【課題を解決するための手段】
【０００６】
本発明の一形態によれば、少なくとも１本の響線から成る線束と、紐部材を引っ掛けるための引っ掛け部を含み、前記線束の端部に固定されたプレートと、を有する、楽器用の効果付与具が提供される。
【発明の効果】
【０００７】
本発明の一形態によれば、交換作業を容易にすることができる。
【図面の簡単な説明】
【０００８】
【図１】楽器用の効果付与具、および当該効果付与具が適用される楽器の斜視図である。
【図２】可動側の取り付け部付近の拡大斜視図である。
【図３】スネアワイヤの一端部の斜視図である。
【図４】１つのプレートの平面図である。
【図５】１つの引っ掛け部の正面図である。
【図６】変形例のプレートの斜視図である。
【図７】変形例のプレートの斜視図である。
【図８】変形例のプレートの斜視図である。
【図９】変形例のプレートの斜視図である。
【図１０】変形例のプレートの平面図である。
【図１１】カホンの斜視図である。
【発明を実施するための形態】
【０００９】
以下、図面を参照して本発明の実施の形態を説明する。
【００１０】
図１は、本発明の一実施の形態に係る楽器用の効果付与具、および当該効果付与具が適用される楽器の斜視図である。本楽器は例えば打楽器であり、図１には、打楽器の一例としてスネアドラム１０が示されている。また、効果付与具は、いわゆるスナッピと呼ばれるスネアワイヤ３０である。
【００１１】
スネアドラム１０はシェル１１を有する。シェル１１の円筒形状における一方の（表面側の）開口にバターヘッドが配置されると共に、他方の（裏面側の）開口にレゾナンスヘッド１２が配置される。シェル１１の外周面に、複数のラグ１４が等間隔に固定される。シェル１１の開口のうちレゾナンスヘッド１２が配置される側の開口には、円環状のフープ１３が配置される。スネアワイヤ３０は通常、レゾナンスヘッド１２の外面に設けられる。シェル１１の外周面において、シェル１１の直径方向に沿った対称位置に、一対の取り付け部１５、１６が配置される。これらの取り付け部１５、１６は、いわゆる一対のストレーナである。固定側の取り付け部１５と可動側の取り付け部１６とは、ラグ１４を避けた位置に配置される。スネアワイヤ３０の両端には紐部材４５が取り付けられる。一方の紐部材４５は、固定側の取り付け部１５に接続され、他方の紐部材４５は、可動側の取り付け部１６に接続される。
【００１２】
図２は、可動側の取り付け部１６付近の拡大斜視図である。取り付け部１６は、固定ベース２０、移動ベース１９、張力調節用ねじ１７、レバー１８等を備える。移動ベース１９は、シェル１１の中心軸線方向において固定ベース２０に対して移動可能に設けられる。可動側の紐部材４５は、移動ベース１９に接続される。張力調節用ねじ１７が操作されると、移動ベース１９が固定ベース２０に対して移動することで、スネアワイヤ３０の張力が調節される。また、レバー１８が操作されると、移動ベース１９が固定ベース２０に対して移動することで、スネアワイヤ３０がレゾナンスヘッド１２に接触する状態とレゾナンスヘッド１２から離した状態とが切り替わる。スネアワイヤ３０がレゾナンスヘッド１２に接触した状態で打撃演奏が行われる場合、特殊音響効果が付加される。一方、スネアワイヤ３０を交換したり装着し直したりする際には、ユーザは、レバー１８を操作して、スネアワイヤ３０をレゾナンスヘッド１２から離した状態にさせる。
【００１３】
スネアワイヤ３０を交換する際、従来と同様に、各紐部材４５を取り付け部１５、１６から取り外し、別のスネアワイヤ３０に各紐部材４５を付け替えてから、当該各紐部材４５を取り付け部１５、１６に接続することは可能である。しかし、そのような作業では、効率が低い。そこで本実施の形態では、スネアワイヤ３０を、各紐部材４５に対して着脱容易に構成し、各紐部材４５を取り付け部１５、１６に接続したままでもスネアワイヤ３０を容易に交換できるようにする。以下、スネアワイヤ３０の詳細な構成について説明する。
【００１４】
図３は、スネアワイヤ３０の一端部の斜視図である。まず、スネアワイヤ３０は、図１に示すように、線束３２と、２つのプレート４０とを有する。線束３２は、複数の響線３１から成る（図３参照）。具体的には、複数本の細い響線３１が、長手方向と直交する方向に所定の間隔を保って並列に配置されている。これら響線３１の各端部に、半田付け等によって一対のプレート４０が固定されている。図３では、一方のプレート４０が示されている。プレート４０は金属等で一体に形成される。なお、線束３２を構成する響線３１の本数は複数としたが、１本でもよい。また、少なくとも１本の響線３１をプレート４０上で折り返すことで、使用する響線３１の実本数よりも線束３２において並列する響線３１の本数を増やしてもよい。
【００１５】
１つのプレート４０に着目してプレート４０の構成を説明する。プレート４０は、主部４１と、主部４１に連接するＴ字状部分とを有する。プレート４０は、線束３２の長手方向において、主部４１における線束３２を保持する保持部とは反対側に、一対の引っ掛け部４２（４２Ａ、４２Ｂ）を有する。引っ掛け部４２Ａ、４２Ｂは、それぞれ、一対の切り欠き部４３（４３Ａ、４３Ｂ）を含む。一対の切り欠き部４３Ａ、４３Ｂが形成されることで、引っ掛け部４２Ａ、４２Ｂは、それぞれ突起形状を呈するように形成される。切り欠き部４３Ａ、４３Ｂは、引っ掛け部４２Ａ、４２Ｂで構成される各突起形状に対して線束３２側に隣接する。切り欠き部４３Ａ、４３Ｂは、線束３２の幅方向における互いに反対方向（幅方向外側）へ開口する。引っ掛け部４２Ａ、４２Ｂは、紐部材４５を引っ掛けるための係止部である。切り欠き部４３Ａ、４３Ｂは、紐部材４５が嵌るための開口部である。
【００１６】
図４は、１つのプレート４０の平面図である。図５は、１つの引っ掛け部４２Ａの正面図である。引っ掛け部４２Ａ、４２Ｂは、線束３２の幅方向の中心軸（図３に示す中心線Ｃ)に対して略線対称（「略線対称」は完全な線対称を含む趣旨であり、以下においても同様である）である。図４、図５に示すように、引っ掛け部４２Ａには凹部４４Ａが形成されている。凹部４４Ａは、スネアドラム１０に対するスネアワイヤ３０の装着状態において、レゾナンスヘッド１２に対向する。凹部４４Ａは、レゾナンスヘッド１２から離れる側へ窪んでいる断面半円状の凹部である。また、引っ掛け部４２Ｂにおいても同様に、凹部４４Ｂが形成されている。
【００１７】
図３に示すような、引っ掛け部４２Ａ、４２Ｂに紐部材４５を適切に引っ掛けた状態を、プレート４０に対する紐部材４５の装着状態と称する。この装着状態においては、プレート４０の引っ掛け部４２Ａ、４２Ｂからそれぞれ、線束３２の長手方向における線束３２とは反対側へ、延長部４５Ａ、４５Ｂが延びている。延長部４５Ａ、４５Ｂが引っ掛け部４２Ａ、４２Ｂから延びる位置を、それぞれ、延長位置ＰＡ、ＰＢとする。２つの位置である延長位置ＰＡ、ＰＢは、線束３２の幅方向の中心軸(線)に対して略線対称位置にある。紐部材４５の装着状態においては、紐部材４５は、切り欠き部４３Ａ、４３Ｂ間において、プレート４０におけるレゾナンスヘッド１２の反対側の面４０ａ上に露出している。さらに、紐部材４５は、切り欠き部４３Ａ、４３Ｂを貫通し、凹部４４Ａ、４４Ｂを経由して延長位置ＰＡ、ＰＢに至る。その後、紐部材４５は、延長位置ＰＡ、ＰＢから延長部４５Ａ、４５Ｂとなって延びる。
【００１８】
スネアワイヤ３０をレゾナンスヘッド１２から離した状態で演奏される場合もある。このような場合、スネアワイヤ３０を緩く張ることになり、紐部材４５も緩むことになるので、振動や外力によって紐部材４５が引っ掛け部４２Ａ、４２Ｂから意図せずに外れるおそれがある。そこで、本実施の形態では、スネアワイヤ３０を緩く張る時に紐部材４５が引っ掛け部４２Ａ、４２Ｂから容易に外れないように、工夫を施している。
【００１９】
まず、図４に示すように、切り欠き部４３Ａは、幅広部４３Ａａと幅狭部４３Ａｂとを有し、平面視で概ねＵ字形状を呈する。幅狭部４３Ａｂは、切り欠き部４３Ａのうち外側に連通する部分である。幅狭部４３Ａｂの一部が外側から切り欠き部４３Ａへの入り口となる。線束３２の長手方向において、幅広部４３Ａａの幅はＤ２、幅狭部４３Ａｂの幅はＤ１であり、Ｄ２＞Ｄ１という関係になっている。つまり、切り欠き部４３Ａにおける入り口の幅が狭くなっている。この関係により、幅狭部４３Ａｂは、切り欠き部４３Ａａに嵌っている紐部材４５が切り欠き部４３Ａから抜けにくくするための抜け止め部としての機能を果たす。
【００２０】
なお、幅広部４３Ａａの形状はＲ形状であるが、幅狭部４３Ａｂより幅広であればよく、Ｒ形状に限定されない。なお、幅広部４３Ａａにおいて、線束３２の長手方向の線束３２側にＲ形状が形成される。しかし、幅広部４３Ａａの、線束３２とは反対側または、線束３２の長手方向における両側に、Ｒ形状が形成されてもよい。従って、幅広部４３Ａａは、幅狭部４３Ａｂと比べて、片側に限らず両側に幅広であってもよい。なお、切り欠き部４３Ａのうち、開口側の端位置の近傍に、線束３２の長手方向における幅が最小となる部分があれば、紐部材４５の抜け止め機能は果たされる。従って、切り欠き部４３Ａの形状は、例示した形状に限定されない。
【００２１】
次に、凹部４４Ａは、延長位置ＰＡの近傍における紐部材４５の部分を収容する。従って、凹部４４Ａは、延長位置ＰＡにおいて紐部材４５が線束３２の幅方向に変位することを規制する規制部としての機能を果たす。紐部材４５が緩む時には、プレート４０と紐部材４５とが、線束３２の幅方向に対して相対的に力を受けることがある。このような場合、紐部材４５が切り欠き部４３Ａから離れて外れるおそれがある。しかし、凹部４４Ａに収容された紐部材４５の部分は、線束３２の幅方向に変位しにくくなっているので、紐部材４５と切り欠き部４３Ａとの係り合わさる状態が維持されやすい。なお、規制部としての機能を果たす観点からは、凹部４４Ａの断面形状は半円状に限定されず、例えば、一対のテーパ面から成る形状、あるいは多角形を半分にした形状であってもよい。切り欠き部４３Ｂの構成は、切り欠き部４３Ａとは線束３２の幅方向の中心軸(線)に対して略線対称であることを除き、切り欠き部４３Ａと同様である。
【００２２】
一対の引っ掛け部４２ないし一対の切り欠き部４３は、例えば、金属等の板状部材を切り欠き加工やプレス加工することで形成可能である。また、凹部４４Ａ、４４Ｂは、例えば、折り曲げ加工等によって形成可能である。
【００２３】
かかる構成において、スネアワイヤ３０を交換する際、ユーザは、レバー１８を操作して、スネアワイヤ３０をレゾナンスヘッド１２から離れた状態にし、各紐部材４５をプレート４０から取り外す。各紐部材４５の取り外しの際には、ユーザは、各紐部材４５の延長部４５Ａ、４５Ｂ間の間隔を広げるように操作して、引っ掛け部４２Ａ、４２Ｂから各紐部材４５を取り外す。各紐部材４５を取り外したとき、通常、各紐部材４５は取り付け部１５、１６に接続されたままであるので、実質的にループ状になっている。そしてユーザは、別のスネアワイヤ３０のプレート４０に、各紐部材４５を装着する。各紐部材４５の装着の際には、ユーザは、プレート４０の面４０ａ上において線束３２の幅方向へ紐部材４５を沿わせた後、引っ掛け部４２Ａ、４２Ｂのそれぞれに紐部材４５を引っ掛ける。そして、紐部材４５を凹部４４Ａ、４４Ｂに収容させる。従来のように、プレートに形成された穴に紐部材を通すといった作業が不要であるので、紐部材４５のループ状となっていても、着脱が容易である。
【００２４】
本実施の形態によれば、線束３２の両端部に固定されたプレート４０はいずれも、紐部材４５を引っ掛けるための引っ掛け部４２Ａ、４２Ｂを含む。ユーザは、プレート４０に対する紐部材４５の着脱をするだけでスネアワイヤ３０を交換することができる。しかも、同じ長さの別のスネアワイヤ３０に交換する場合、張力調節の必要性が低い。また、一旦、スネアワイヤ３０を取り外した後、再び同じスネアワイヤ３０を装着する場合でも、紐部材４５の長さに関する状態に変化がなければ、張力調節の必要がほとんど発生しない。よって、スネアワイヤ３０の交換作業を容易にすることができる。
【００２５】
また、引っ掛け部４２Ａ、４２Ｂは、線束３２の幅方向の中心軸(線)に対して略線対称である。引っ掛け部４２Ａ、４２Ｂに紐部材４５を引っ掛けた状態では、延長位置ＰＡ、ＰＢが、線束３２の幅方向の中心軸(線)に対して略線対称位置となる。従って、使用時におけるスネアワイヤ３０の重要な姿勢である平行性を維持することができる。すなわち、線束３２をレゾナンスヘッド１２に対して平行に当接させることができる。
【００２６】
また、線束３２の長手方向における各切り欠き部４３の幅に関し、幅広部４３Ａａの幅Ｄ２より幅狭部４３Ａｂの幅Ｄ１の方が狭い。言い換えると、各切り欠き部４３において、開口側の端位置の近傍に、線束３２の長手方向における幅が最小となる部分がある。従って、スネアワイヤ３０がレゾナンスヘッド１２から離れ緩んだ状態においては特に、紐部材４５が引っ掛け部４２Ａ、４２Ｂから意図せずに外れることが回避される。また、凹部４４Ａ、４４Ｂはそれぞれ、延長位置ＰＡ、ＰＢの近傍における紐部材４５の部分を収容し、紐部材４５が線束３２の幅方向に変位することを規制する。従って、紐部材４５が凹部４４Ａ、４４Ｂに収容された状態が維持されやすく、紐部材４５と切り欠き部４３Ａ、４３Ｂとの係り合いの状態が維持されやすい。これらの構成によって、スネアワイヤ３０が紐部材４５から意図せず脱落するのを抑制することができる。
【００２７】
以下、図６〜図１１で、変形例を説明する。図６〜図９はそれぞれ、変形例のプレート４０の斜視図である。まず、図１〜図５に示した例では、引っ掛け部４２Ａ、４２Ｂの先端同士の間隔はプレート４０の、束線３２の長手方向に直交する方向（幅方向）の幅より狭かった。しかし、図６に示すように、引っ掛け部４２Ａ、４２Ｂの先端同士はプレート４０の、束線３１の長手方向に直交する方向（幅方向）の幅と同じであってもよい。また、図６の例では、凹部４４Ａ、４４Ｂや、幅広部４３Ａａと幅狭部４３Ａｂは設けられていないため、製造が容易である。なお、図１〜図５に示した例においても、凹部４４Ａ、４４Ｂを設けることは必須でない。また、図１〜図５に示した例でも、幅広部４３Ａａと幅狭部４３Ａｂとを設けることなく、各切り欠き部４３の幅を一様としてもよい。なお、紐部材４５の抜け止め機能を発揮する観点からは、凹部４４Ａ、４４Ｂ、または、幅広部４３Ａａおよび幅狭部４３Ａｂのいずれかのみを設ける構成としてもよい。
【００２８】
図７に示す変形例では、引っ掛け部４２Ａ、４２Ｂを設ける代わりに、別の引っ掛け部として、鉤状の爪部４７（爪部分）を１つ設けている。爪部４７は、プレート４０の端部からプレート４０の厚み方向に延びた後に線束３２の側へ曲がっている。爪部４７は、線束３２の幅方向の中心軸(線)に対して略線対称である。爪部４７に紐部材４５を引っ掛けた状態では、紐部材４５の延長位置ＰＡ、ＰＢは、線束３２の幅方向の中心軸(線)に対して略線対称位置となる。爪部４７は、例えば、プレート４０の端部を折り曲げ加工することで形成でき、製造が容易で構成も簡単である。
【００２９】
図８に示す変形例では、引っ掛け部として、鉤状の爪部４６（爪部分）を設けている。爪部４６は、線束３２の長手方向におけるプレート４０の途中位置からプレート４０の厚み方向に延びた後に線束３２の側へ曲がっている。爪部４６は、線束３２の幅方向の中心軸(線)に対して略線対称である。爪部４６に紐部材４５を引っ掛けた状態では、紐部材４５の延長位置ＰＡ、ＰＢは、線束３２の幅方向の中心軸(線)に対して略線対称位置となる。爪部４６は、例えば、プレート４０の一部の肉部を切り起こして折り曲げ加工することで形成でき、製造が容易で構成も簡単である。
【００３０】
なお、図８の構成において、爪部４６は、線束３２の幅方向の中心軸(線)に対して略線対称であれば、複数設けてもよい。例えば、図９に示すように、一対の爪部４６Ａ、４６ｂを形成してもよい。なお、この観点からは、図７に示す爪部４７、図８または図９に示す爪部４６は、線束３２の幅方向の中心軸(線)に対して略線対称に、３以上設けてもよい。
【００３１】
なお、このほかの変形例として、線束３２の幅方向の中心軸(線)に対して略線対称に、プレート４０に１つ以上のネジを螺合することで、それらのネジの頭部を引っ掛け部として機能させてもよい。その場合、ユーザは、ネジの頭部が先端側となるように、ネジの首部より頭部側部分がプレート４０から突出するようにネジを固定する。なお、ネジの頭部のような形状（例えば、釘の頭部形状）の部分を突出させて設ける方法は螺合に限らず、また、そのような部分をプレート４０と一体に形成してもよい。
【００３２】
図１０は、変形例のプレート４０の平面図である。図１〜図５に示した例では、切り欠き部４３Ａ、４３Ｂは、線束３２の幅方向における互いに反対方向（幅方向外側）へ開口した。これに対し、図１０に示す変形例では、切り欠き部４３Ａ、４３Ｂは、互いに向き合う方向（幅方向内側）へ開口している。従って、引っ掛け部４２Ａ、４２Ｂも、互いに向き合う方向に延びて対向している。凹部４４Ａ、４４Ｂや、上述した幅広部および幅狭部を設けることは必須でない。このような構成であっても、引っ掛け部４２Ａ、４２Ｂに紐部材４５を引っ掛けた状態では、紐部材４５の延長位置ＰＡ、ＰＢを、線束３２の幅方向の中心軸(線)に対して略線対称位置とすることが可能である。特に、紐部材４５を取り外す際、２つの延長部４５Ａ、４５Ｂを互いに近づけるようにつまむことで、紐部材４５を容易に取り外すことができ、作業性が高い。
【００３３】
なお、図４の構成と図１０の構成とを組み合わせ、線束３２の幅方向において切り欠き部４３Ａ、４３Ｂが共に同じ方向に開口し、引っ掛け部４２Ａと引っ掛け部４２Ｂとが同じ方向に突出する構成を採用してもよい。
【００３４】
なお、本発明の効果付与具が適用される楽器は、スネアドラムに限定されず、例えば、図１１に示すようなカホンにも適用可能である。図１１は、カホンの斜視図である。カホン５０の本体５１は、空気抜け穴５２を有する。スネアワイヤ３０は、例えば、本体５１の打面５３の裏側に設けられる。なお、スネアワイヤ３０が設けられる位置は、本体５１のいずれの壁部であってもよい。
【００３５】
なお、響線３１の両端部に固定される一対のプレート４０は、同一構成でなくてもよい。例えば、一方のプレート４０には、図４または図６〜図１０に示した例のうち１つを適用し、他方のプレート４０には、図４または図６〜図１０に示した例のうち他の１つを適用してもよい。
【００３６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３７】
３０  スネアワイヤ、  ３１  響線、  ３２  線束、  ４０  プレート、  ４２Ａ、４２Ｂ  引っ掛け部、  ４３Ａ、４３Ｂ  切り欠き部、  ４５  紐部材、  ４６、４７  爪部、  ＰＡ、ＰＢ  延長位置
【図１】
2020181020.tif 000003
【図２】
2020181020.tif 000004
【図３】
2020181020.tif 000005
【図４】
2020181020.tif 000006
【図５】
2020181020.tif 000007
【図６】
2020181020.tif 000008
【図７】
2020181020.tif 000009
【図８】
2020181020.tif 000010
【図９】
2020181020.tif 000011
【図１０】
2020181020.tif 000012
【図１１】
2020181020.tif 000013